【事件の表示】
　平成１０年特許願第２４７７５３号「表示装置および表示制御方法、並びに記録媒体」拒絶査定不服審判事件〔平成１２年　３月　３日出願公開、特開２０００−　６６７９９〕について、次のとおり審決する。
【結　論】
　本件審判の請求は、成り立たない。
【理　由】
１．手続の経緯
　本願は平成１０年８月１９日の出願であって、平成１５年１月１４日付及び平成１５年６月１６日付で手続補正がなされ、平成１５年７月２９日付で平成１５年６月１６日付手続補正が却下され、同日付で拒絶査定がなされ、これに対して平成１５年９月４日に拒絶査定に対する審判が請求されるとともに、同年１０月６日付で手続補正がなされたものである。
　
２．平成１５年１０月６日付手続補正について
［補正却下の決定の結論］
　　平成１５年１０月６日付手続補正（以下「本件補正」という。）を却下する。
［理由］
　補正後の本願発明
　本件補正により、特許請求の範囲の請求項１，請求項２は次のとおり補正された。
「【請求項１】　少なくとも、テキストファイルデータからなる情報に基づいて表示データを生成し、表示する表示装置であって、
　前記テキストファイルデータを記憶する着脱可能な記録媒体から前記テキストファイルデータを読み取る読み取り手段と、
　前記読み取り手段によって読み取られた前記テキストファイルデータのテキストファイルデータ名に対応する文字パターンデータを生成する生成手段と、
　前記生成手段によって生成された前記文字パターンデータに基づいて、前記テキストファイルデータのテキストファイルデータ名の一覧を所定の順序で所定の表示装置に表示させる一覧表示手段と、
　前記一覧表示手段によって前記表示装置に表示された前記テキストファイルデータのテキストファイルデータ名の表示順序を編集する編集手段と、
　前記編集手段によって編集された前記テキストファイルデータのテキストファイルデータ名の表示順序に従って、前記生成手段が前記テキストファイルデータに対応する文字パターンデータを生成するように制御し、前記生成手段によって生成された前記文字パターンデータを前記表示装置に表示させる表示制御手段と
　を備え、
　着脱可能な前記記録媒体がセットされたことを検知した段階で、前記テキストファイルデータが複数ある場合において、最も新しい時刻に記録された前記テキストファイルデータを表示し、または、表示順序が設定されているとき、その表示順序に従って表示することを特徴とする表示装置。
【請求項２】前記編集手段によって編集された前記テキストファイルデータのテキストファイルデータ名の表示順序を示すデータを、前記記録媒体の所定の領域に書き込む書き込み手段と、
　前記テキストファイルデータの所定の文字データをキーワードとしてスライド分割し、
所定のリモートコントロール装置の操作に応じてスライド分割された表示スライドを切り替えて表示するスライド表示手段と
　をさらに備えることを特徴とする表示装置。」
　
請求項１について
　請求項１は、補正前（平成１５年１月１４日付手続補正）の請求項１の「表示制御装置」（・・・表示する表示制御装置であって、・・・表示制御手段とを備えることを特徴とする表示制御装置。）を、「表示装置」（・・・表示する表示装置であって、・・・表示制御手段とを備え、・・・表示することを特徴とする表示装置。）と拡張しており、特許請求の範囲の減縮を目的とするものではない。また、この補正は誤記の訂正あるいは明りょうでない記載の釈明を目的とするものではない。
　
請求項２について
　請求項２は、補正前の請求項２が請求項１を引用しているのに対して、請求項１を引用しておらず特許請求の範囲を拡張している。
　この点、請求項２が請求項１を引用しているものと仮定して以下検討しても、上記のとおり請求項１に係る補正は特許請求の範囲の減縮を目的するものではないから、請求項２の補正も同様に特許請求の範囲の減縮を目的とするものではない。
　さらに請求項２は「前記テキストファイルデータの所定の文字データをキーワードとしてスライド分割し、所定のリモートコントロール装置の操作に応じてスライド分割された表示スライドを切り替えて表示するスライド表示手段を更に備える」との事項を付加しているが、当該補正は補正前の請求項に記載された発明を特定する事項の限定にあたらず、特許請求の範囲を減縮を目的とするものではない。
　また、この補正は誤記の訂正あるいは明りょうでない記載の釈明を目的とするものではない。
　
　したがって、この補正は、特許法第１７条の２第４項の規定に違反するものであるから、特許法第１５９条第１項で準用する特許法第５３条第１項の規定により却下すべきものである。
　
３．本願発明について
　平成１５年１０月６日付手続補正は上記のとおり却下されたので、本願の請求項１に係る発明（以下、「本願発明」という。）は、平成１５年１月１４日付手続補正書の特許請求の範囲の請求項１に記載された事項により特定される、以下のとおりのものである。
「少なくとも、テキストファイルデータからなる情報に基づいて表示データを生成し、表示する表示制御装置であって、
　前記テキストファイルデータを記憶する着脱可能な記録媒体から前記テキストファイルデータを読み取る読み取り手段と、
　前記読み取り手段によって読み取られた前記テキストファイルデータのテキストファイルデータ名に対応する文字パターンデータを生成する生成手段と、
　前記生成手段によって生成された前記文字パターンデータに基づいて、前記テキストファイルデータのテキストファイルデータ名の一覧を所定の順序で所定の表示装置に表示させる一覧表示手段と、
　前記一覧表示手段によって前記表示装置に表示された前記テキストファイルデータのテキストファイルデータ名の表示順序を編集する編集手段と、
　前記編集手段によって編集された前記テキストファイルデータのテキストファイルデータ名の表示順序に従って、前記生成手段が前記テキストファイルデータに対応する文字パターンデータを生成するように制御し、前記生成手段によって生成された前記文字パターンデータを前記表示装置に表示させる表示制御手段と
　を備えることを特徴とする表示制御装置。」
　
（１）引用刊行物
　原査定の拒絶の理由に引用された、本願の出願日前に頒布された刊行物「特開平８−２８６８６８号公報」（以下「引用刊行物」という。）には、図面とともに以下の記載がある。
「【請求項１】  頁単位で管理される画面プレゼンテーション用のイメージデータを保存しておく保存手段を備え、この保存手段から前記画面プレゼンテーション用のイメージデータを読み込んで頁単位で画面表示する画面プレゼンテーション機能を有する文書作成装置において、
画面プレゼンテーション用イメージを複数頁分一時記憶するための一時記憶手段と、
この一時記憶手段から１頁単位で画面プレゼンテーション用イメージを取り出して画面表示する画面表示手段と、
この画面表示手段による表示中の頁に後続する頁のイメージを前記保存手段から前記一時記憶手段に先読みする先読み手段とを具備することを特徴とする文書作成装置。」（第１頁左欄第２−１６行）
　
「【０００１】
【産業上の利用分野】本発明は、例えば日本語ワードプロセッサ等の文書作成装置に係り、特に画面プレゼンテーション用のイメージデータを頁単位で画面表示することで画面プレゼンテーションを行うのに好適な画面プレゼンテーション機能を持つ文書作成装置及び画面プレゼンテーション方法に関する。」（第２頁右欄第６−１２行）
　
「【００１３】
【実施例】以下、図面を参照して本発明の一実施例を説明する。
【００１４】図１は本発明の一実施例に係る文書作成装置の構成を示すブロック図である。同図において、１１はマイクロプロセッサ（以下、ＣＰＵと称す）、１２および１３はＣＰＵ１１によりアクセスされるメモリ（ＲＯＭ，ＲＡＭ）である。
【００１５】ＣＰＵ１１は、装置全体の制御を行なうもので、ＲＯＭ（Read Only Memory）１２、ＲＡＭ（Random Access Memory）１３をアクセスして入力指示に従うプログラムの起動で文書作成処理の他、ここでは本発明に直接関係する画面プレゼンテーショ処理を実行する。
【００１６】ＲＯＭ１２には、ＣＰＵ１１の動作を決定する各種処理プログラムが格納されたプログラム領域１２ａをはじめ、フォントデータが格納された文字パターン領域１２ｂ、仮名或いははローマ字で入力された読み情報を漢字情報に変換するための標準辞書が格納された辞書領域１２ｃ等が設けられている。プログラム領域１２ａには、本発明に直接関係する画面プレゼンテーショ処理のためのプログラムが格納されている。なお、ＲＯＭ１２内に当該プログラムを格納するのに十分な領域が確保できない場合には、当該プログラムをフロッピーに格納しておき、画面プレゼンテーショ処理時のみ、ＲＡＭ１３に読み込むようにしても構わない。」（第３頁左欄第２５−４９行）
　
「【００２０】フロッピーディスク装置１６は、例えば３．５インチ高密度記録用であり、作成文書等（ここでは特に、プレゼンイメージのファイル）の保存／呼出しを行う。ＦＤＤコントローラ１７は、ＣＰＵ１１とフロッピーディスク装置１６との間のデータの入出力制御を行う。」（第３頁右欄第２４−２９行）
　
「【００２２】また、２１は表示器、２２は表示コントローラ（表示−ＣＮＴ）、２３はＶＲＡＭ（Video RAM ）、２４は合成器である。
【００２３】表示器２１は、例えばカラー表示可能な40字20行のバックライト付きカラー液晶ディスプレイからなり、最下行（第２０行目）をガイド表示専用の領域（ガイド行）に設定している。表示コントローラ２２は、ＣＰＵ１０の制御の下でＶＲＡＭ２３に表示データを展開し、これを合成器２４を介して表示器１８に出力する。」（第３頁右欄第３７−４６行）
　
「【００３０】本装置では、図２（ａ）に示すように、文書データ２０１の任意の文書頁２０２毎にイメージ化し、それぞれ画面プレゼンテーション用のファイル（プレゼンイメージファイル）２０３として文書フロッピーに保存するようになっている。
【００３１】各ファイル２０３には、修飾情報２０４の群が付加される。修飾情報２０４は、マスク、ズーム等の画面修飾種類、当該画面修飾種類の画面修飾の対象となる位置（範囲）を示す情報及び順番情報等の組からなる。順番情報は、該当するファイル２０３の示すイメージにより実現される画面（頁）上での、画面修飾実行の順番を示す。
【００３２】また、本装置では、各プレゼンイメージファイル２０３（の示すイメージ）のプレゼンテーション実行時の表示順序等を示す、図２（ｂ）に示すデータ構造の表示順序データファイル２１０が作成され、文書フロッピーに保存されるようになっている。この表示順序データファイル２１０には、１つの画面プレゼンテーションに用いられる全てのプレゼンイメージファイル２０３のファイル名が、表示順序と対応付けて格納される。また、各ファイル名に対応して、そのファイル名のプレゼンイメージファイル２０３のイメージの表示に割り当てられた表示時間（画面表示時間）の情報が格納される。」（第４頁左欄第３６行−右欄第９行）
　
「【００３７】まず、利用者の所定のキー操作により、画面プレゼンテーション処理プログラムが起動されたものとする。するとＣＰＵ１１は、このプログラムに従い、まず図２０に示す画面プレゼンテーションメインメニュー画面を表示器２１に表示する（ステップＳ１）。」（第４頁右欄第３０−３４行）
　
「【００８７】今、図２０の画面プレゼンテーションメインメニュー画面上で表示順序設定の項目が選択されたものとする。
【００８８】ＣＰＵ１１は、画面プレゼンテーションメインメニュー画面上で表示順序設定の項目が選択されると（ステップＳ４）、以下に述べる表示順序設定処理を、図１１及び図１２のフローチャートに従って実行する（ステップＳ５）。
【００８９】まずＣＰＵ１１は、図３５に示す表示順序設定メニュー画面を表示する（ステップＳ９１）。
【００９０】ここで利用者により設定の項目が選択されると（ステップＳ９２）、ＣＰＵ１１は図３６に示す表示順序設定画面を表示する（ステップＳ９３）。この画面には、フロッピーディスク装置１６にセットされている文書フロッピーに保存されているプレゼンイメージファイルのファイル名一覧の表示欄と、各プレゼンイメージファイルのイメージを画面プレゼンテーション実行時の１画面（頁）として、その表示順序（頁）を設定するための表示順序設定欄が配置されている。この表示順序設定欄には、対応する画面（頁）の表示時間の設定欄が付されている。なお、１画面に入りきれない部分については、画面切り替えにより参照できるようになっている。
【００９１】利用者は、図３６に示した表示順序設定画面が表示されると、ファイル名一覧の中から表示する順序で目的とするファイルのファイル名（の項目）を選択指定し、その都度［選択／実行］キーを押す。
【００９２】ＣＰＵ１１は、ファイル名の選択がなされる毎に（ステップＳ９４）、選択されたファイル名を表示順序設定欄内の該当する表示順序位置（初期値＝１）に設定表示すると共にＲＡＭ１３の所定領域に記憶する（ステップＳ９５）。
【００９３】次に、図３６に示した表示順序設定画面の表示状態で、利用者が［罫線］キーを押したものとする。するとＣＰＵ１１は、表示時間設定機能が選択されたものと判断し（ステップＳ９６）、図３７に示す表示時間設定画面を表示する（ステップＳ９７）。但し、この段階では、上記の手続き（ステップＳ９４，Ｓ９５）でファイル名が設定された各表示順序位置に対応する表示時間設定欄には、所定の表示時間値“００分００秒”が設定されている。
【００９４】利用者は、図３７に示したような表示時間設定画面が表示されると、上下の［カーソル］キーで入力項目を切り替え、左右の［カーソル］キーで入力位置を切り替え（１０分→１分→１０秒→１秒と１０分←１分←１０秒←１秒の位置に切り替わる）、［数値］キーで表示時間（画面表示時間）を入力する。
【００９５】ＣＰＵ１１は、利用者のキー操作により表示時間が入力される毎に（ステップＳ９８）、該当する位置に入力された表示時間を表示する（ステップＳ９９）。利用者は、必要な表示時間の入力を全て終了すると、［選択／実行］キーを押す。
【００９６】ＣＰＵ１１は、図３７の表示時間設定画面の表示状態で［選択／実行］キーが押されると（ステップＳ１００）、各ファイル毎の入力された表示時間（入力されていない箇所では、初期値“００分００秒”）を、先にＲＡＭ１３の所定領域に記憶されている表示順序付けられた各ファイル名に対応付けて、当該ＲＡＭ１３に設定記憶する（ステップＳ１０１）。この結果、ＲＡＭ１３の所定領域には、図２（ｂ）に示した表示順序データファイル２１０と同様のデータ構造の表示順序データが設定されることになる。なお、このＲＡＭ１３の所定領域として、画面プレゼンテーション実行時に用いられる表示順序バッファ１３ｃを用いても構わない。」（第７頁右欄第４８行−第９頁右欄第１１行）
　
「【００９９】次に、この表示順序設定メニュー画面上で表示順序データ保存の項目が選択されたものとする（ステップＳ１１１）。するとＣＰＵ１１は、通常の文書データの保存や先に述べたプレゼンイメージの保存の場合と同様にして、表示順序データの保存の受付けを行う（ステップＳ１１２）。そしてＣＰＵ１１は、ＲＡＭ１３内に設定されている表示順序データを、ステップＳ１１２で受付けたファイル名のファイル（表示順序データファイル）として、フロッピーディスク装置１６にセットされている文書フロッピーに保存し（ステップＳ１１３）、図３５の表示順序設定メニュー画面に戻す（ステップＳ９１）。
【０１００】このようにして利用者は、１つの画面プレゼンテーションを実現するのに必要な頁イメージとして任意に選択した独立の各プレゼンイメージファイルに対し、その画面プレゼンテーション実行時の画面表示の順序（頁の並び順）を任意に設定することができる。即ち利用者は、各種のプレゼンイメージファイルを予め用意しておけば、その中から必要なファイルを選択して、表示順序付けて表示順序データファイルを作成することで、種々の画面プレゼンテーションを実現できる。この表示順序データファイルは極めて小容量であることから、目的とする画面プレゼンテーション毎に対応する表示順序データファイルを用意しておくだけで、画面プレゼンテーション毎にそのプレゼンテーション用のイメージデータファイルを用意する場合に比べて、必要容量を著しく減らすことができる。」（第８頁右欄第２２−４８行）
　
「【０１０３】次に、この画面プレゼンテーションメインメニュー画面上でプレゼンテーション実行の項目が選択された場合について説明する。
【０１０４】ＣＰＵ１１は、図２０の画面プレゼンテーションメインメニュー画面上でプレゼンテーション実行の項目が選択された場合（ステップＳ６）、以下に述べるプレゼンテーション実行処理を、図１３乃至図１６のフローチャートに従って実行する（ステップＳ７）。
【０１０５】まずＣＰＵ１１は、通常の文書呼出しと同様にして、表示順序データファイルの呼出しの受付けを行う（ステップＳ１２１）。そしてＣＰＵ１１は、受付けたファイル名の表示順序データファイル（２０１）をフロッピーディスク装置１６からＲＡＭ１３内の表示順序バッファ１３ｃに呼出して、その表示順序データファイルの示す表示順序を含む図３９に示すプレゼンイメージ実行準備画面を表示し、利用者からの画面切替時間（画面表示時間）変更設定等の指示を受付ける（ステップＳ１２２）。ここでは、［罫線］キーが押される毎に、画面切替時間の設定が［設定通り］→［設定無視］→［設定通り］→…のように切り替わる。［設定通り］が設定されると、画面表示時間として設定された時間で画面（頁）が切り替わり、［設定無視］が設定されると、画面表示時間として設定された時間が無視され、利用者による画面切り替えのためのキー操作によってのみ画面が切り替わる。
【０１０６】さて、図３９に示すプレゼンイメージ実行準備画面の表示状態で［選択／実行］キーが押されると（ステップＳ１２３）、ＣＰＵ１１は、ライトバッファポインタＷＢＰ及びリードバッファポインタＲＢＰを、ＲＡＭ１３内に確保されたプレゼンイメージバッファ１３ｂの先頭ページバッファ領域３０１を指すように初期設定する（ステップＳ１２４）。
【０１０７】次にＣＰＵ１１は、表示順序バッファ１３ｃに呼出されている表示順序データをもとに、１番目の表示順序（１頁目）のプレゼンイメージをフロッピーディスク装置１６から読み込んで伸張し、ポインタＷＢＰの指すプレゼンイメージバッファ１３ｂ内のページバッファ領域３０１（ここでは先頭のページバッファ領域３０１）に格納する（ステップＳ１２５）。このとき当該イメージに付されている修飾情報群が対応する修飾情報領域３０２に格納される。なお、以下の説明では、イメージ読み込みに伴う修飾情報の格納動作については説明を省略する。
【０１０８】次にＣＰＵ１１は、ポインタＷＢＰを次のページバッファ領域３０１を指すように更新すると共に、（プレゼンイメージバッファ１３ｂに最も最近に読み終えた頁を示す）ページカウンタＰＣ１を“１”に設定する（ステップＳ１２６）。
【０１０９】次にＣＰＵ１１は、ポインタＲＢＰの指すページバッファ領域３０１に格納されているイメージが配置されたプレゼンテーション実行初期画面（図示せず）を画面表示し（ステップＳ１２７）、（現在表示中の頁を示す）ページカウンタＰＣ２を“１”に設定する（ステップＳ１２８）。このイメージ表示に際しては、対応する修飾情報群が参照され、マスク範囲が設定されている領域には、図３０のマスク確認画面で示したのと同様に、マスクが施される。なお、画面表示は表示器２１上で行われるだけでなく、映像出力インタフェース３０を介して例えば大画面のモニタ装置２９上でも行われる。
【０１１０】さて、プレゼンテーション実行初期画面の表示状態で、利用者（発表者）が［選択／実行］キーを押すと（ステップＳ１２９）、ＣＰＵ１１は、図４０に示すようなプレゼンテーション実行メイン画面を表示し、画面プレゼンテーションを開始する（ステップＳ１３０）。この画面の例えば最下行の右端には時間表示欄が確保されており、ここでは現在時刻が表示されている。また、画面の例えば最下行の左端には（総頁数に対する）現在表示中の頁が表示されている。
【０１１１】ＣＰＵ１１は、現在表示中の頁（画面）の残り表示時間が“０”でなく（［設定無視］の場合と、設定された表示時間が“００分００秒”の場合も表示時間が“０”でないものと扱われる）、キー入力もなく、プレゼンイメージバッファ１３ｂが一杯でもなく、そしてページカウンタＰＣ１が最終頁を指してないならば（ステップＳ１４１〜Ｓ１４４）、（ＰＣ＋１）頁目（ページカウンタＰＣ１の示す頁の次の頁）の未読み込みプレゼンイメージを、（その先頭の）一定サイズ分だけフロッピーディスク装置１６から読み込んで伸張し、ポインタＷＢＰの指すページバッファ領域３０１に格納する（ステップＳ１４５）。
【０１１２】次にＣＰＵ１１は、ステップＳ１４５の読み込みにより、（ＰＣ１＋１）頁目のイメージ読み込みが全て終了したか否かを判断し（ステップＳ１４６）、終了していないならば、ステップＳ１４１に戻る。そして、ステップＳ１４１〜Ｓ１４４でいずれも“ＮＯ”が判定されたならば、ステップＳ１４５の一定サイズ分の読み込みを続ける。
【０１１３】やがて、（ＰＣ１＋１）頁目のイメージ読み込みが全て終了したならば（ステップＳ１４６）、ＣＰＵ１１は、ポインタＷＢＰを次のページバッファ領域３０１を指すように更新すると共に、ページカウンタＰＣ１を１つ進める（ステップＳ１４８）。そしてＣＰＵ１１は、現在表示中の次の頁のイメージがＲＡＭ１３（のプレゼンイメージバッファ１３ｂ）内に読み込まれていることを示す次頁準備終了メッセージを、例えば画面最下行の表示中頁の表示欄の右に表示して（ステップＳ１４９）、ステップＳ１４１に戻る。なお、メッセージ表示に代えて、音による次頁準備終了通知を行うことも可能である。」（第９頁左欄第１６行−第２０頁左欄第１５行）
　
「【０１２６】ここで利用者が、何らかのキー入力操作、例えば［次画面］キーの操作を行ったものとする。この［次画面］キーは、［機能１］＋［Ｂ］キー（［機能１］キーと文字［Ｂ］のキー）により実現される。
【０１２７】ＣＰＵ１１は、［次画面］キーが押されたことを検出すると（ステップＳ１５７）、ページカウンタＰＣ２が最終頁を示しているか否かを調べ（ステップＳ１５８）、最終頁を示していないならば、以下に述べる次画面切替処理を、図１８のフローチャートに従って実行する（ステップＳ１５９）。この次画面切替処理は、（設定された表示時間に対する）残り時間（残り表示時間）が“０”になった場合にも（ステップＳ１４１）、最終頁でない限り実行され、画面（頁）が自動的に切り替えられる。
【０１２８】まずＣＰＵ１１は、ポインタＲＢＰを次のページバッファ領域３０１を指すように更新し（ステップＳ１８１）、ページカウンタＰＣ１の示す頁がページカウンタＰＣ２の示す頁より大きいか否かを調べる（ステップＳ１８２）。
【０１２９】もし、ＰＣ１＞ＰＣ２であるならば、即ち最も最近に読み終えた頁の方が現在表示中の頁より大きいならば、ＣＰＵ１１は次の頁がプレゼンイメージバッファ１３ｂに揃っているものと判断し、表示中の頁を、ポインタＲＢＰの指すページバッファ領域３０１に格納されているイメージに直ちに切り替える（ステップＳ１８３）。
【０１３０】次にＣＰＵ１１はページカウンタＰＣ２を１つ進めた後（ステップＳ１８４）、ページカウンタＰＣ１の示す頁がページカウンタＰＣ２の示す頁より大きいか否かを調べる（ステップＳ１８５）。
【０１３１】もし、次画面への切り替えの結果、ＰＣ１≦ＰＣ２となったなら、ＣＰＵ１１は次頁準備終了メッセージを消して（ステップＳ１８６）、ステップＳ１４１に戻る。また、次画面への切り替えを行っても、ＰＣ１＞ＰＣ２の状態にあるならば、ＣＰＵ１１は次頁（のイメージ）はプレゼンイメージバッファ１３ｂに用意されているとして、そのままステップＳ１４１に戻る。
【０１３２】一方、先のステップＳ１８２でＰＣ１≦ＰＣ２で判断された場合、即ち次頁がプレゼンイメージバッファ１３ｂに用意されていない場合、ＣＰＵ１１は、ページカウンタＰＣ１の示す頁の次の頁のプレゼンイメージをフロッピーディスク装置１６から全て読み込んで伸張し、ポインタＷＢＰの指すページバッファ領域３０１に格納する（ステップ１８７）。
【０１３３】次にＣＰＵ１１は、ポインタＷＢＰを次のページバッファ領域３０１を指すように更新すると共に、ページカウンタＰＣ１を１つ進める（ステップＳ１８８）。そしてＣＰＵ１１は、表示中の頁を、ポインタＲＢＰの指すページバッファ領域３０１に格納されているイメージ（即ち、ステップＳ１８７で読み込んだイメージ）に切り替えて（ステップＳ１８３）、ステップＳ１４４に戻る。」（第１０頁右欄第３４−第１１頁左欄第３５行）
　
「【０１４４】以上は、画面プレゼンテーション機能を持つ文書作成装置に実施した場合について説明したが、本発明は専用の画面プレゼンテーション装置にも適用できる。」（第１１頁右欄第４７−末行）
　
　また、図２（ｂ）には、表示順序データファイルのデータ構造として、”順序”、”ファイル名”、”表示時間”の３項目のセットが”順序”に従って順に並べられていることが記載されている。
　
　これらの記載から、引用刊行物には以下の発明（以下、「引用発明」という。）が記載されているものと認められる。
「画面プレゼンテーション機能を持つ文書作成装置であって、
　装置全体の制御を行うＣＰＵと、フォントデータが格納された文字パターン領域を有するＲＯＭと、ＣＰＵの制御の下でＶＲＡＭに表示データを展開し表示器に出力する表示コントローラと、表示器と、
　画面プレゼンテーション用のイメージデータを文書フロッピー（保存手段）に保存し、また、文書フロッピーから呼び出しを行うフロッピーディスク装置とを有し、
　文書データからプレゼンテーション用のイメージデータをファイルとして、ファイル名が表示順序と対応付けて格納される表示順序データファイルと共に、各文書フロッピーに保存し、
　ＣＰＵは、ファイル名一覧の表示欄と表示順序設定欄を有する表示順序設定画面を表示器に表示し、
　前記表示欄には、文書フロッピーに保存されているプレゼンテーションイメージファイルのファイル名一覧を表示し、
　利用者は、前記表示欄に表示されたファイル名を表示順序に従ってファイル名を選択し、表示順序設定欄の該当する表示順序位置に設定表示させ、
　表示順序設定欄により設定された表示順序は、表示順序データファイルとして表示順序とファイル名が対応された状態で保存され、
　ＣＰＵは表示順序データファイルの表示順序データに従って、文書フロッピーに保存されたプレゼンテーション用のイメージデータファイルを読み出し、読み出したイメージデータに基づいて表示器に表示する、
　画面プレゼンテーション機能を持つ文書作成装置。」
　
（２）対比
　本願発明と引用発明を対比すると、
　引用発明の「文書フロッピー（保存手段）」、「フロッピーディスク装置」及び「ファイル名」は、それぞれ、本願発明の「着脱可能な記録媒体」、「読み取り手段」及び「ファイルデータ名」に相当する。
　また、引用発明の「表示コントローラ」は「ＣＰＵ」の制御の下でＶＲＡＭに表示データを展開し表示器に出力するから、引用発明の「ＣＰＵ」及び「表示コントローラ」は本願発明の「表示制御手段」に相当する。
　また、引用発明において、ＣＰＵはファイル名一覧の表示欄と表示順序設定欄を有する表示順序設定画面を表示器に表示し、ファイル名一覧の表示欄には、文書フロッピーに保存されているプレゼンテーションイメージファイルのファイル名一覧を表示し、利用者は、前記表示欄に表示されたファイル名を表示順序に従ってファイル名を選択してファイル名を表示順に並べることにより、プレゼンテーションイメージファイルの表示順序を決定することができるから、引用発明は本願発明のファイルデータ名の一覧を表示装置に表示させる「一覧表示手段」及び、ファイルデータ名の表示順序を編集する「編集手段」にそれぞれ相当する手段を有しているということができる。
　また、引用発明の文書フロッピーに「ファイルとして保存されたプレゼンテーション用のイメージデータ」は「ファイルデータ」と呼ぶことができる。
　また、引用発明の「表示器」はファイル名一覧を表示し、ファイルデータ（プレゼンテーション用のイメージデータ）に基づいた表示をするから、本願発明の、テキストファイルデータ名の一覧を表示し、テキストファイルデータに対応する文字パターンデータを表示する「所定の表示装置（前記表示装置）」に相当する。
　そして、引用発明のプレゼンテーション機能を有する「文書作成装置」は、本願発明と同様に、読み取り手段、一覧表示手段、編集手段及び表示制御手段を有しており、ファイルデータに基づいて表示を行っているから、本願発明の「表示制御装置」に相当する。
　したがって、両者は
「ファイルデータからなる情報に基づいて表示する表示制御装置であって、
　前記ファイルデータを記憶する着脱可能な記録媒体から前記ファイルデータを読み取る読み取り手段と、
　ファイルデータのファイルデータ名の一覧を所定の表示装置に表示させる一覧表示手段と、
　前記一覧表示手段によって前記表示装置に表示された前記テキストファイルデータのテキストファイルデータ名の表示順序を編集する編集手段と、
　前記編集手段によって編集された前記テキストファイルデータのテキストファイルデータ名の表示順序に従って、前記ファイルデータに対応するデータを前記表示装置に表示させる表示制御手段と
　を備えることを特徴とする表示制御装置。」の点で一致し、以下の点で相違している。
　
相違点１
　本願発明は、少なくとも、テキストファイルデータからなる情報に基づいて表示データを生成し、表示する表示制御装置であって、読み取り手段はテキストファイルデータを記憶する着脱可能な記録媒体からテキストファイルデータを読み取り、表示制御手段は、生成手段がテキストファイルデータに対応する文字パターンデータを生成するように制御し、前記生成手段によって生成された前記文字パターンデータを表示装置に表示させるているのに対して、引用発明では、読み取り手段はイメージデータファイルを記憶する着脱可能な記録媒体からイメージデータファイルを読み取っており、表示制御手段は、生成手段が前記テキストファイルデータに対応する文字パターンデータを生成するように制御しておらず、表示制御装置は、少なくとも、テキストファイルデータからなる情報に基づいて表示データを生成し、表示するものではない点。
　
相違点２
　本願発明は一覧表示手段はファイルデータ名の一覧を所定の順序で表示させているのに対して、引用発明では、一覧表示手段はファイルデータ名の一覧を表示させているが、所定の順序で表示させることについて記載がない点。
　
相違点３
　本願発明では、ファイルデータ名に対応する文字パターンデータを生成する生成手段を有しており、生成手段によって生成された文字パターンデータに基づいて、ファイルデータ名の一覧を表示しているのに対し、引用発明は、ファイルデータ名に対応する文字パターンデータを生成する生成手段を有し、ファイルデータ名の一覧を生成手段によって生成された文字パターンデータに基づいて表示することについて記載がない点。
　
（３）当審の判断
　以下、上記相違点について検討する。
相違点１について
　コンピュータ等にみられるように表示制御装置において、テキストファイルデータを着脱可能な記録媒体に記録し、テキストファイルデータに対応する文字パターンデータを生成して、少なくとも、テキストファイルデータからなる情報に基づいて表示を行うことは周知であって格別のことではない。
　したがって、引用発明の表示制御装置において、イメージデータの代わりにテキストデータを採用することにより、読み取り手段はテキストファイルデータを記憶する着脱可能な記録媒体に記録されているテキストファイルデータを読み取り、表示制御手段は、生成手段がテキストファイルデータに対応する文字パターンデータを生成するように制御し、生成手段によって生成された前記文字パターンデータを表示装置に表示させ、表示制御装置は、少なくとも、テキストファイルデータからなる情報に基づいて表示データを生成し、表示するようにすることは当業者が上記周知技術から容易に想到し得ることである。
　
相違点２について
　引用発明には記載はないが、引用発明においてファイルデータ名の一覧を表示する場合に一定の規則により表示が行われていることは当然であるから、引用発明においてファイルデータ名の一覧は所定の順序で表示されているものといえる。また一般的にファイル名等の一覧表示を行う場合に所定の順序で表示をすることは周知であって格別のことではない。
　したがって、引用発明において、一覧表示手段でファイルデータ名の一覧を所定の順序で表示させることは当業者が適宜になし得ることである。
　
相違点３について
　引用発明には記載がないが、一般にコンピュータ等にみられるようにファイルデータ名を表示することができる装置であれば、文字パターンデータを生成する生成手段を有し、生成された文字パターンデータに基づいてファイルデータ名の表示を行うことは当然であって、引用発明においても文字パターンデータを生成する生成手段を有し、生成された文字パターンデータに基づいてファイルデータ名の表示を行っていることは自明であるから、相違点３については実質的な相違はないといえる。
　
　そして、本願発明のように構成したことによる効果も引用発明及び周知技術から予測できる程度のものである。
　
　したがって、本願発明（請求項１に係る発明）は、引用発明及び周知技術に基づいて当業者が容易に発明をすることができたものである。
　
（４）むすび
　以上のとおり、本願発明（請求項１に係る発明）は、引用発明及び周知技術に基づいて当業者が容易に発明をすることができたものである。
　したがって、本願はその余の請求項について論及するまでもなく、特許法第２９条第２項の規定により特許を受けることができない。
　
　よって、結論のとおり審決する。